(57)【要約】【課題】復水器の冷却水細管にピンホール等の亀裂が発生しない復水器の冷却装置及び方法を提供する。【解決手段】冷却水１１を導入する導入通路１２と、該導入通路１２と接続され、冷却水１１を導入する一対の入口水室１３Ａ、１３Ｂと、該一対の入口水室１３Ａ、１３Ｂから各々導入される冷却水１１を下方側から上方側へ通過させ、蒸気タービン１４からの蒸気１５を冷却して復水１６とする複数の傾斜冷却水細管１７を有する復水器１８と、前記復水器１８の底部に設けられ、前記復水１６を貯蔵する復水用水室１９と、前記復水器１８の中央近傍に設けられ、冷却後の前記冷却水１１を前記傾斜冷却水細管１７から排出・集合する出口水室２０と、前記出口水室２０と接続され、冷却水１１を放水する排出通路２１と、を具備する。【選択図】図１
2014214981.tif 000002
【特許請求の範囲】
【請求項１】
冷却水を導入する導入通路と、
該導入通路と接続され、冷却水を導入する一対の対向した入口水室と、
該一対の対向した入口水室から各々導入される冷却水を下方側から上方側へ通過させ、蒸気タービンからの蒸気を冷却して復水とする複数の傾斜冷却水細管を有する復水器と、
前記復水器の底部に設けられ、前記復水を貯蔵する復水用水室と、
前記復水器の中央近傍に設けられ、冷却後の前記冷却水を前記傾斜冷却水細管から排出・集合する出口水室と、
前記出口水室と接続され、冷却水を放水する排出通路と、を具備することを特徴とする復水器の冷却装置。
【請求項２】
復水器内で、傾斜冷却水細管に冷却水を導入し、蒸気及び蒸気ドレンを傾斜冷却水細管で冷却して、復水とすることを特徴とする復水器の冷却方法。
【発明の詳細な説明】
【技術分野】
【０００１】
本発明は、復水器の冷却装置及び方法に関するものである。
【背景技術】
【０００２】
従来より、火力発電設備等においては、ボイラ火炉で発生した蒸気を復水器で冷却凝縮させて復水とし、ボイラ給水として循環使用している。ここで、復水器内では、蒸気を冷却する冷却水細管が複数（例えば４０００〜５０００本）設けられ、該冷却水細管には冷却用の海水が冷却水として導入されている。この冷却水細管に例えば隙間やクラックやピンホール等の亀裂等が生じると、そこから冷却水である海水が液漏れする海水リークが発生する。
【０００３】
この海水リークが発生すると、凝縮した復水に混入し、該復水に塩分が混じって各種配管等を腐食させることになる。そこで、復水器からの海水の液漏れを監視すべく、各種の海水漏洩検出装置が提案されている（例えば、特許文献１及び２参照）。
【先行技術文献】
【特許文献】
【０００４】
【特許文献１】特開２００４−１４４７０８号公報
【特許文献２】特開２００６−２６７０９５号公報
【発明の概要】
【発明が解決しようとする課題】
【０００５】
ところで、特許文献１及び２にかかる漏れ検出装置で、例えば復水の冷却水用の海水の漏れを検出する場合には、その検出精度が常に適切であるかの確認のために、定期的に点検する必要がある。
【０００６】
すなわち、従来においては、海水リークの監視のために、定期点検（例えば２年に１回程度）ごとに監視装置のための点検が必要となる、という問題がある。また、定期点検の前に、監視装置に不具合があった場合には、定期点検において初めて異常が確認されるので、結果として、海水リークに起因する腐食が進展しても、定期点検まで確認することはできない、という問題がある。
【０００７】
そこで、復水器の冷却水細管にピンホール等の亀裂が発生せず、海水リークが解消される、復水器の冷却装置及び方法の出現が切望されている。
【０００８】
本発明は、前記問題に鑑み、復水器の冷却水細管にピンホール等の亀裂が発生しない復水器の冷却装置及び方法を提供することを課題とする。
【課題を解決するための手段】
【０００９】
上述した課題を解決するための本発明の第１の発明は、冷却水を導入する導入通路と、該導入通路と接続され、冷却水を導入する一対の対向した入口水室と、該一対の対向した入口水室から各々導入される冷却水を下方側から上方側へ通過させ、蒸気タービンからの蒸気を冷却して復水とする複数の傾斜冷却水細管を有する復水器と、前記復水器の底部に設けられ、前記復水を貯蔵する復水用水室と、前記復水器の中央近傍に設けられ、冷却後の前記冷却水を前記傾斜冷却水細管から排出・集合する出口水室と、前記出口水室と接続され、冷却水を放水する排出通路と、を具備することを特徴とする復水器の冷却装置にある。
【００１０】
第１の発明によれば、傾斜冷却水細管で蒸気を復水に冷却するので、蒸気や蒸気ドレンが傾斜冷却水配管に落下した場合でも、表面で斜めに反射し、従来のような鉛直方向に落下することで穿つ作用とならないので、ピンホールが発生することが防止され、海水リークが生じることが無くなる。
【００１１】
第２の発明は、復水器内で、傾斜冷却水細管に冷却水を導入し、蒸気及び蒸気ドレンを傾斜冷却水細管で冷却して、復水とすることを特徴とする復水器の冷却方法にある。
【００１２】
第２の発明によれば、傾斜冷却水細管で蒸気を復水に冷却するので、蒸気や蒸気ドレンが傾斜冷却水配管に落下した場合でも、表面で反射し、従来のような穿つ作用とならないので、ピンホールが発生することが防止され、海水リークが生じることが無くなる。
【発明の効果】
【００１３】
本発明によれば、傾斜冷却水細管で蒸気を復水に冷却するので、蒸気や蒸気ドレンが傾斜冷却水配管に落下した場合でも、表面で反射し、従来のような穿つ作用とならないので、ピンホールが発生することが防止され、海水リークが生じることが無くなる。
【図面の簡単な説明】
【００１４】
【図１】図１は、本実施例に係る復水器の冷却装置の一例を示す図である。
【図２−１】図２−１は、本実施例に係る傾斜冷却水配管に水滴やスケールが落下する様子を示す模式図である。
【図２−２】図２−２は、比較例に係る横置き冷却水配管に水滴やスケールが落下する様子を示す模式図である。
【図３−１】図３−１は、本実施例に係る復水器の冷却装置の一例を示す図である。
【図３−２】図３−２は、比較例に係る復水器の冷却装置の一例を示す図である。
【発明を実施するための形態】
【００１５】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例】
【００１６】
図１は、本実施例に係る復水器の冷却装置の一例を示す図である。図２−１は、本実施例に係る傾斜冷却水配管に水滴やスケールが落下する様子を示す模式図である。図２−２は、比較例に係る横置き冷却水配管に水滴やスケールが落下する様子を示す模式図である。図３−１は、本実施例に係る復水器の冷却装置の一例を示す図である。図３−２は、比較例に係る復水器の冷却装置の一例を示す図である。
図１に示すように、実施例に係る復水器の冷却装置は、冷却水１１を導入する導入通路１２と、該導入通路１２と接続され、冷却水１１を導入する一対の対向した入口水室１３Ａ、１３Ｂと、該一対の対向した入口水室１３Ａ、１３Ｂから各々導入される冷却水１１を下方側から上方側へ通過させ、蒸気タービン１４からの蒸気１５を冷却して復水１６とする複数の傾斜冷却水細管１７を有する復水器１８と、前記復水器１８の底部に設けられ、前記復水１６を貯蔵する復水用水室１９と、前記復水器１８の中央近傍に設けられ、冷却後の前記冷却水１１を前記傾斜冷却水細管１７から排出・集合する出口水室２０と、前記出口水室２０と接続され、冷却水１１を放水する排出通路２１と、を具備するものである。なお、図１において、符号３０は復水通路、Ｐ1は取水ポンプ、Ｐ10は復水ポンプを各々図示する。
【００１７】
復水器１８の冷却系統において、取水槽（図示せず）まで導入された冷却水１１である海水は、取水ポンプＰ1により吸引することにより、導入通路１２を介して復水器１８の入口水室１３Ａ、１３Ｂに導入される。この復水器１８は、発電機（図示せず）と同軸状に連結された蒸気タービン１４で仕事をした蒸気１５を、復水器１８内に配設され入口水室１３から導かれる冷却水１１が流通する多数の傾斜冷却水細管１７によって冷却し復水１６にさせている。
【００１８】
本実施例では、復水器１８の側面に設けた一対の対向する入口水室１３Ａ、１３Ｂから斜め上方に傾斜した冷却水１１が通水する傾斜冷却水細管１７を複数設置している。傾斜冷却水細管１７は、一端（下端）を入口水室１３Ａ、１３Ｂと連通すると共に、他端（上端）を出口水室２０と連通している。
【００１９】
そして、冷却水１１は図中、左側の入口水室１３Ａに導入されると共に、導入通路１２から分岐して迂回する分岐通路１２ａにより図中右側の入口水室１３Ｂに導入される。入口水室１３Ａ、１３Ｂに導入された冷却水１１は、斜め上方に向かって導水され、他端（上端）側で出口水室２０に排出・集合される。
【００２０】
ここで、傾斜冷却水細管１７の設置角度（α）は、特に限定されるものではないが、３０〜６０度とするのが好ましい。
【００２１】
出口水室２０は復水器１８の略中央部分に配設され、複数の傾斜冷却水細管１７から、冷却に寄与した冷却水を集合する集合ヘッダとして機能している。
【００２２】
傾斜冷却水細管１７は複数列・複数段配設され、蒸気タービン１４で仕事をした蒸気１５を冷却することで、復水１６としている。
【００２３】
本実施例では、傾斜冷却水細管としているので、図２−１に示すように配管の表面で水滴３１やスケール３２が横方向に反射することとなる。
【００２４】
これに対し、図２−２に示すように、従来のように鉛直方向に直交する横置き冷却水細管１７Ａの場合では、配管表面に対して水滴３１や硬質の水蒸気酸化スケール（スケール）３２が鉛直方向に落下するので、穿つ作用が発生し、長期間にわたる穿つ作用により、ピンホール３３が発生する。
【００２５】
よって、本実施例のように斜めの傾斜冷却水細管１７とすることで、ピンホールが発生することが防止され、海水リークが生じることが無くなる。
【００２６】
また、図３−１に示すように、本実施例の傾斜冷却水細管１７を複数列・複数段配設して、蒸気タービン１４で仕事をした蒸気１５を冷却する場合、冷却水１１の温度が１０℃で、傾斜冷却水細管１７に導入し、左右から出口水室２０に到達するので温度が約１０℃しか上昇しないものとなる。
【００２７】
これに対し、図３−２に示すように、従来のように鉛直方向に直交する横置き冷却水細管１７Ａの場合では、入口水室１３から出口水室２０に向かって温度上昇があり、入口側において１０度で導入された冷却水は、出口側では３０℃に上昇することとなる。この結果、温排水として海に放水することとなる。
【００２８】
よって、本実施例のように、復水器１８の中央部分に出口水室２０を設置して、傾斜冷却水細管１７で左右から冷却水１１を供給して冷却することにより、冷却水１１の温度上昇が従来よりも少なく、温排水対策に大幅に寄与することとなる。
【符号の説明】
【００２９】
１１  冷却水
１２  導入通路
１３Ａ、１３Ｂ  入口水室
１４  蒸気タービン
１５  蒸気
１６  復水
１７  傾斜冷却水細管
１８  復水器
１９  復水用水室
２０  出口水室
２１  排出通路
Ｐ1  取水ポンプ
【図１】
2014214981.tif 000003
【図２−１】
2014214981.tif 000004
【図２−２】
2014214981.tif 000005
【図３−１】
2014214981.tif 000006
【図３−２】
2014214981.tif 000007